(57)【要約】      （修正有）【課題】グルーが溢れ出す及び油が滲む現象を改善可能なケーシング構造を提供する。【解決手段】ケーシング構造１００は、第一ハウジング１１０と、グルー層１２０と、第二ハウジング１３０と、を含む。第一ハウジング１１０は、第一内側縁１１１を有する。グルー層１２０は、第一内側縁１１１に配置される。第二ハウジング１３０は、第二内側縁１３１を有する。第一ハウジング１１０は、第二ハウジング１３０に組み立てられ、第一内側縁１１１は、第二内側縁１３１に位置合わせられる。グルー層１２０を第二内側縁１３１に当接させて、第一ハウジング１１０と第二ハウジング１３０を結合する。グルー層１２０と第二内側縁１３１の局部は、隙間を有し、グルーオーバーフローバッファエリアを定義する。【選択図】図１
0003219844.tif 000002
【実用新案登録請求の範囲】
【請求項１】
第一内側縁を有する第一ハウジングと、
前記第一内側縁に配置されるグルー層と、
第二内側縁を有する第二ハウジングと、を含み、
前記第一ハウジングは、前記第二ハウジングに組み立てられ、前記第一内側縁は、前記第二内側縁に位置合わせられ、前記グルー層を前記第二内側縁に当接させて、前記第一ハウジングと前記第二ハウジングを結合し、前記グルー層と前記第二内側縁の局部は、隙間を有し、グルーオーバーフローバッファエリアを定義することを特徴とするケーシング構造。
【請求項２】
前記第一ハウジングは、前記第一内側縁に第一溝が設けられ、前記グルー層は、前記第一溝内に配置され、前記グルー層は、前記第一溝外に突出する結合部を有する請求項１に記載のケーシング構造。
【請求項３】
前記第二ハウジングは、前記第二内側縁に前記第二溝と前記第二溝に隣接するリブが設けられ、前記リブは、前記結合部に嵌め込まれ、一部の前記結合部は、前記第二溝を埋める請求項２に記載のケーシング構造。
【請求項４】
前記第一溝外に突出する前記結合部の高さは、前記リブの高さに等しい請求項３に記載のケーシング構造。
【請求項５】
前記第二溝は、底面と側面を有し、前記側面と前記リブは、並列に設けられ、それぞれ前記底面に接続されている請求項３に記載のケーシング構造。
【請求項６】
前記結合部は、前記リブと前記側面との間に位置する表面を有し、前記側面と前記底面はそれぞれ前記表面と隙間を有し、前記グルーオーバーフローバッファエリアを定義する請求項５に記載のケーシング構造。
【請求項７】
前記グルーオーバーフローバッファエリアの前記底面に垂直な断面積は、前記リブの前記底面に垂直な断面積の二分の一より大きい請求項６に記載のケーシング構造。
【請求項８】
前記リブと前記側面との間の距離は、前記第一溝の幅よりも小さい請求項５に記載のケーシング構造。
【請求項９】
前記リブの前記底面に垂直な断面形状は、弾丸形状を含む請求項５に記載のケーシング構造。
【請求項１０】
前記リブは、前記第一溝の幅の二分の一の箇所に位置合わせられる請求項３に記載のケーシング構造。
【考案の詳細な説明】
【技術分野】
【０００１】
本考案は、ケーシング構造に関するものであり、特に、電子デバイスに用いられるケーシング構造に関するものである。
【背景技術】
【０００２】
一般的な電子デバイス、例えば、ノートパソコン、タブレット又はスマートフォンのほとんどが、ケーシングによって内部の電子素子を保護しており、ケーシングは、大まかに二つの連結するハウジングに分けられるが、前記二つのハウジングは、組み立て完成後において、それぞれの間に依然として隙間を有する。水分、ホコリ又は外界の異物が前記隙間から電子デバイスの内部に入るのを防ぐために、一般的な方法は、前記二つのハウジングの連結箇所に断絶層を設けることである。しかしながら、断絶層は長時間の押し出し、熱、湿気により、溶解又は軟化し、前記隙間から溢れる又は断絶層自身の材料特性によって、油が滲む場合を有する。このように、電子デバイスの外観に影響し、さらには、使用上不便となる。
【考案の概要】
【考案が解決しようとする課題】
【０００３】
本考案は、グルーが溢れ出す及び油が滲む現象を改善可能なケーシング構造を提供する。
【課題を解決するための手段】
【０００４】
本考案のケーシング構造は、第一ハウジングと、グルー層と、第二ハウジングと、を含む。第一ハウジングは、第一内側縁を有する。グルー層は、第一内側縁に配置される。第二ハウジングは、第二内側縁を有する。第一ハウジングは、第二ハウジングに組み立てられ、第一内側縁は、第二内側縁に位置合わせられる。グルー層を第二内側縁に当接させて、第一ハウジングと第二ハウジングを結合する。グルー層と第二内側縁の局部は、隙間を有し、グルーオーバーフローバッファエリアを定義する。
【０００５】
本考案の実施形態において、上記第一ハウジングは、第一内側縁に第一溝が設けられ、グルー層は、第一溝内に配置され、グルー層は、第一溝外に突出する結合部を有する。
【０００６】
本考案の実施形態において、上記第二ハウジングは、第二内側縁に第二溝と第二溝に隣接するリブが設けられ、リブは、結合部に嵌め込まれ、一部の結合部は、第二溝を埋める。
【０００７】
本考案の実施形態において、上記第一溝外に突出する結合部の高さは、リブの高さに等しい。
【０００８】
本考案の実施形態において、上記第二溝は、底面と側面を有し、側面とリブは、並列に設けられ、それぞれ底面に接続されている。
【０００９】
本考案の実施形態において、上記結合部は、リブと側面との間に位置する表面を有し、側面と底面はそれぞれ表面と隙間を有し、グルーオーバーフローバッファエリアを定義する。
【００１０】
本考案の実施形態において、上記グルーオーバーフローバッファエリアの底面に垂直な断面積は、リブの底面に垂直な断面積の二分の一より大きい。
【００１１】
本考案の実施形態において、上記リブと側面との間の距離は、第一溝の幅よりも小さい。
【００１２】
本考案の実施形態において、上記リブの底面に垂直な断面形状は、弾丸形状を含む。
【００１３】
本考案の実施形態において、上記リブは、第一溝の幅の二分の一の箇所に位置合わせられる。
【考案の効果】
【００１４】
上記に基づき、本考案のケーシング構造の内部は、溶解又は軟化した後の一部のグルー層又は滲み出た油を収容するために、グルーの溢れ出しをバッファする設計を有し、溶解又は軟化した後の一部のグルー層及び滲み出た油が二つのハウジングの間の隙間から溢れ出ないようにする。したがって、本考案のケーシング構造は、グルーが溢れ出す及び油が滲む現象を改善可能であり、ケーシング構造外観の完全性を維持する。
【００１５】
本考案の上述した特徴と利点を更に明確化するために、以下、幾つかの実施形態を挙げて図面と共に詳細な内容を説明する。
【図面の簡単な説明】
【００１６】
【図１】本考案の実施形態におけるケーシング構造の局部断面模式図である。
【図２】図１のケーシング構造の分解模式図である。
【図３】図１のケーシング構造の局部拡大模式図である。
【考案を実施するための形態】
【００１７】
図１は、本考案の実施形態におけるケーシング構造の局部断面模式図である。図２は、図１のケーシング構造の分解模式図である。図３は、図１のケーシング構造の局部拡大模式図である。図１〜図３を参照すると、本実施形態において、ケーシング構造１００は、ノートパソコン、タブレット又はスマートフォン等の電子デバイスに用いられてもよく、これにより、内部の電子素子を保護している。ケーシング構造１００は、第一ハウジング１１０と、グルー層１２０と、第二ハウジング１３０と、を含み、第一ハウジング１１０と第二ハウジング１３０の材質はそれぞれ、金属、プラスチック又は炭素繊維、又は上記材料の組み合わせであってもよく、本考案は、第一ハウジング１１０と第二ハウジング１３０の材質に対して限定しない。
【００１８】
第一ハウジング１１０と第二ハウジング１３０を相互に結合する、即ち、第一ハウジング１１０の内側表面と第二ハウジング１３０の内側表面が相互に対向する。本実施形態において、第一ハウジング１１０は、第一内側縁１１１、即ち、第一ハウジング１１０の内側表面の周辺縁を有する。一方、第二ハウジング１３０は、第二内側縁１３１、即ち、第二ハウジング１３０の内側表面の周辺縁を有する。第一ハウジング１１０と第二ハウジング１３０を組み立てる過程において、第一内側縁１１１を第二内側縁１３１に位置合わせる必要があり、組み立て完了後、第一内側縁１１１は第二内側縁１３１に当接するが、両者の間には隙間が依然として存在する。
【００１９】
第一ハウジング１１０と第二ハウジング１３０の結合強度を高めるために、第一内側縁１１１に配置されたグルー層１２０によって第二内側縁１３１に当接し、且つ、グルー層１２０と第二内側縁１３１の局部は、隙間を有し、グルーオーバーフローバッファエリアＰを定義する。一方、グルー層１２０は、水分、ホコリ又は外界の異物がケーシング構造１００内部に入る経路を遮断するために配置され、水分、ホコリ又は外界の異物が第一ハウジング１１０と第二ハウジング１３０の隙間を経てケーシング構造１００内部に入るのを防ぐことができる。
【００２０】
さらに、第一ハウジング１１０は、第一内側縁１１１に第一溝１１２が設けられ、第一溝１１２は、第一ハウジング１１０の内側表面の周辺縁を囲むリング状の溝であってもよく、グルー層１２０は、第一溝１１２内に配置される。グルー材を塗布する過程において、例えば、第一溝１１２に沿ってグルー材を埋めて、グルー材を第一溝１１２外に僅かに突出させる。硬化成型後のグルー材は、グルー層１２０を形成し、グルー層１２０は、第一溝１１２外に突出する結合部１２１を有し、且つ第一溝１１２外に突出する結合部１２１の高さは、Ｈ１である。例えば、グルー層１２０を形成するためのグルー材は、エポキシ樹脂又はその他の防水性を有するグルー材であってもよい。
【００２１】
第二ハウジング１３０は、第二内側縁１３１に第二溝１３２と第二溝１３２に隣接するリブ１３３が設けられ、第二溝１３２は、第二ハウジング１３０の内側表面の周辺縁を囲むリング状の溝であってもよく、リブ１３３は、第二ハウジング１３０の内側表面の周辺縁を囲むリング状のリブであってもよい。第一溝１１２は、第二溝１３２とリブ１３３に位置合わせ、リブ１３３は、第一溝１１２に向かって延びる。したがって、第一ハウジング１１０と第二ハウジング１３０の組み立て完了後、グルー層１２０は、第二溝１３２とリブ１３３に接触し、さらに、グルー層１２０の第一溝１１２外に突出する結合部１２１は、第二溝１３２とリブ１３３に接触し、結合部１２１の少なくとも一部は、第二溝１３２を埋め、且つ、リブ１３３は、結合部１２１に嵌め込まれ、第二溝１３２とリブ１３３の設計によって、第二ハウジング１３０とグルー層１２０の結合面積及び結合強度を高めることができ、また、リブ１３３は、水分、ホコリ又は外界の異物が第一ハウジング１１０と第二ハウジング１３０の隙間を経てケーシング構造１００内部に入るのを防ぐこともできる。
【００２２】
本実施形態において、リブ１３３の高さはＨ２であり、且つ、第一ハウジング１１０と第二ハウジング１３０を結合する過程において、リブ１３３が結合部１２１に嵌め込むことができるよう、リブ１３３の高さＨ２は、結合部１２１の高さＨ１に等しくてもよい。その他の実施形態において、リブの高さは、結合部の高さより低くても高くてもよい。
【００２３】
図１〜図３を引き続き参照すると、第一ハウジング１１０と第二ハウジング１３０を組み立てる前、グルー層１２０は、例えば、第一溝１１２の二つの対向する壁面と接触しておらず、第一ハウジング１１０と第二ハウジング１３０を組み立てる過程において、グルー層１２０は、リブ１３３に押されて変形し、第一溝１１２の二つの対向する壁面に接触する。一方、第二溝１３２は、底面Ｓ１と側面Ｓ２を有し、側面Ｓ２とリブ１３３は、それぞれ底面Ｓ１に垂直であり、且つ、並列に設けられた側面Ｓ２とリブ１３３は、実質的に高さが同等である。さらに、第一ハウジング１１０と第二ハウジング１３０を組み立てる過程において、グルー層１２０の結合部１２１は、リブ１３３に押され、その少なくとも一部を第二溝１３２内に埋め、局部は、側面Ｓ２と底面Ｓ１に接触する。第一ハウジング１１０と第二ハウジング１３０の組み立て完了後、第二溝１３２内を埋めた結合部１２１は、リブ１３３と側面Ｓ２との間に位置する表面Ｓ３を有し、リブ１３３と側面Ｓ２のそれぞれは、表面Ｓ３と隙間を有し、側面Ｓ２、底面Ｓ１、表面Ｓ３によって共通にグルーオーバーフローバッファエリアＰを定義する。
【００２４】
本実施形態において、グルーオーバーフローバッファエリアＰの底面Ｓ１に垂直な断面積Ａ１は、例えば、リブ１３３の底面Ｓ１に垂直な断面積Ａ２の二分の一より大きい。グルー層１２０が熱又はその他の環境要因の影響によって、溶解又は軟化する又は油が滲む場合、溶解又は軟化したグルー層１２０又は滲み出た油がリブ１３３のガイドによってグルーオーバーフローバッファエリアＰ内に流れ込み、グルーオーバーフローバッファエリアＰによって収容されることから、第一ハウジング１１０と第二ハウジング１３０の間の隙間に溢れ出ない。
【００２５】
一方、リブ１３３と側面Ｓ２の間の距離Ｄは、第一ハウジング１１０と第二ハウジング１３０を結合する過程において、リブ１３３が結合部１２１に嵌め込むことができるよう、第一溝１１２の幅Ｗよりも小さい。図３に示すように、リブ１３３は、第一溝１１２の幅Ｗの二分の一の箇所に位置合わせられるが、本考案はこれに限定しない。リブ１３３は、第一溝１１２の覆う範囲を超えないことを配置根拠としており、第一溝１１２の幅Ｗの二分の一の箇所に位置合わせることに限定しない。一方、リブ１３３の底面Ｓ１に垂直な断面形状は、弾丸形状を含み、その弾頭部は、第一内側縁１１１を向き、グルー層１２０とリブ１３３が接触する時、リブ１３３の弾頭部は、リブ１３３をスムーズに嵌め込ませて、組み立て時の障害を減らすことができる。その他の実施形態において、リブ１３３の底面Ｓ１に垂直な断面形状は、コーン形状又はその他の形状であってもよい。
【００２６】
以上より、本考案のケーシング構造は、グルー層によって水分、ホコリ又は外界の異物が二つのハウジングの間の隙間からケーシング構造内部に入る経路を遮断し、且つ、グルー層とそのうち一つのハウジングの内側縁の間にグルーオーバーフローバッファエリアを有し、溶解又は軟化した一部のグルー層又は滲み出た油を収容するために配置され、溶解又は軟化した一部のグルー層又は滲み出た油を二つのハウジングの間の隙間から溢れ出させない。したがって、本考案のケーシング構造は、グルー層が溢れ出す現象及び油が滲む現象を改善可能であり、ケーシング構造外観の完全性を維持する。また、リブとグルー層の結合によって第一ハウジングと第二ハウジングの間の密着程度を強化して、ケーシング構造の防水又は防塵性能を高めることができる。
【００２７】
本考案は実施形態によって上述のとおり開示したが、本考案を限定するためのものではなく、当業者が本考案の精神及び範囲から逸脱しない範囲において、変更又は修正することが可能であり、本考案の保護範囲は、後続の専利請求の範囲で限定するものを基準とする。
【産業上の利用可能性】
【００２８】
本考案は、グルーが溢れ出す及び油が滲む現象を改善可能なケーシング構造を提供する。
【符号の説明】
【００２９】
１００：ケーシング構造
１１０：第一ハウジング
１１１：第一内側縁
１１２：第一溝
１２０：グルー層
１２１：結合部
１３０：第二ハウジング
１３１：第二内側縁
１３２：第二溝
１３３：リブ
Ａ１、Ａ２：断面積
Ｄ：距離
Ｈ１、Ｈ２：高さ
Ｐ：グルーオーバーフローバッファエリア
Ｓ１：底面
Ｓ２：側面
Ｓ３：表面
Ｗ：幅
【図１】
0003219844.tif 000003
【図２】
0003219844.tif 000004
【図３】
0003219844.tif 000005
【手続補正書】
【提出日】平成30年11月15日(2018.11.15)
【手続補正１】
【補正対象書類名】実用新案登録請求の範囲
【補正対象項目名】全文
【補正方法】変更
【補正の内容】
【実用新案登録請求の範囲】
【請求項１】
第一内側縁を有する第一ハウジングと、
前記第一内側縁に配置されるグルー層と、
第二内側縁を有する第二ハウジングと、を含み、
前記第一ハウジングは、前記第二ハウジングに組み立てられ、前記第一内側縁は、前記第二内側縁に位置合わせられ、前記グルー層を前記第二内側縁に当接させて、前記第一ハウジングと前記第二ハウジングを結合し、前記グルー層と前記第二内側縁の局部は、隙間を有し、グルーオーバーフローバッファエリアを定義することを特徴とするケーシング構造。
【請求項２】
前記第一ハウジングは、前記第一内側縁に第一溝が設けられ、前記グルー層は、前記第一溝内に配置され、前記グルー層は、前記第一溝外に突出する結合部を有する請求項１に記載のケーシング構造。
【請求項３】
前記第二ハウジングは、前記第二内側縁に第二溝と前記第二溝に隣接するリブが設けられ、前記リブは、前記結合部に嵌め込まれ、一部の前記結合部は、前記第二溝を埋める請求項２に記載のケーシング構造。
【請求項４】
前記第一溝外に突出する前記結合部の高さは、前記リブの高さに等しい請求項３に記載のケーシング構造。
【請求項５】
前記第二溝は、底面と側面を有し、前記側面と前記リブは、並列に設けられ、それぞれ前記底面に接続されている請求項３に記載のケーシング構造。
【請求項６】
前記結合部は、前記リブと前記側面との間に位置する表面を有し、前記側面と前記底面はそれぞれ前記表面と隙間を有し、前記グルーオーバーフローバッファエリアを定義する請求項５に記載のケーシング構造。
【請求項７】
前記グルーオーバーフローバッファエリアの前記底面に垂直な断面積は、前記リブの前記底面に垂直な断面積の二分の一より大きい請求項６に記載のケーシング構造。
【請求項８】
前記リブと前記側面との間の距離は、前記第一溝の幅よりも小さい請求項５に記載のケーシング構造。
【請求項９】
前記リブの前記底面に垂直な断面形状は、弾丸形状を含む請求項５に記載のケーシング構造。
【請求項１０】
前記リブは、前記第一溝の幅の二分の一の箇所に位置合わせられる請求項３に記載のケーシング構造。